(57)【要約】【課題】缶コーヒー等の飲料容器を確実に保持することが可能な飲料容器保持具を提供する。【解決手段】容器収容部110と、容器収容部110の上部外周面に固着される内側円筒体121と、内側円筒体121の外側に被せられる外側円筒体122とから構成される飲料容器保持具100に、飲料容器130を挿入し、外側円筒体122を一方方向に回転させると、外側円筒体122の内周面に形成された突起420が、内側円筒体121の側壁に斜めに形成された案内孔320内を案内孔320に沿って移動していき、それに伴い、外側円筒体122が徐々に下降していく。外側円筒体122が下降するのに伴い、差込部410が、飲料容器130と容器収容部110との間の隙間に差し込まれていく。そして、案内孔320の最も低いところ付近に突起420が達するまで、外側円筒体122を回転させると、差込部410が、飲料容器130と容器収容部110との間の隙間にしっかりと嵌り込んで、飲料容器130が飲料容器保持具100に対して固定される。【選択図】図５
2007284080.tif 000002
【特許請求の範囲】
【請求項１】
飲料容器を収容する収容部と、
前記飲料容器を前記収容部に対して固定する固定部と
を備え、
前記固定部は、
前記収容部に対して上下動可能であり、
下降した際に、前記収容部に収容された前記飲料容器と、前記収容部との間の隙間に差し込まれて、前記飲料容器と前記収容部の両方に当接する差込部を備える
ことを特徴とする飲料容器保持具。
【請求項２】
前記収容部は、有底で上面が開口した円筒状の形状を有する
ことを特徴とする請求項１に記載の飲料容器保持具。
【請求項３】
前記収容部は、上端部分の内周面がテーパー状に形成されている
ことを特徴とする請求項１又は２に記載の飲料容器保持具。
【請求項４】
前記固定部は、
上面及び下面が共に開口した円筒状の形状を有し、
前記収容部の上部外周面を覆うように配置される
ことを特徴とする請求項２又は３に記載の飲料容器保持具。
【請求項５】
前記固定部は、前記収容部に対して第一の方向に回転させると、前記収容部に対して下降し、前記収容部に対して第二の方向に回転させると、前記収容部に対して上昇する
ことを特徴とする請求項１〜４のいずれか一項に記載の飲料容器保持具。
【請求項６】
前記固定部及び収容部のいずれか一方は、突起を備え、他方は、前記突起の動きを規定する案内部を備える
ことを特徴とする請求項５に記載の飲料容器保持具。
【請求項７】
前記案内部は、前記固定部及び収容部のいずれか一方の側壁に、斜めに伸びるように形成されている
ことを特徴とする請求項６に記載の飲料容器保持具。
【請求項８】
前記差込部は、前記固定部の上端縁部に内側下向きに伸びるよう形成されている
ことを特徴とする請求項１〜７のいずれか一項に記載の飲料容器保持具。
【請求項９】
前記差込部は、先端部分がくさび状に形成されている
ことを特徴とする請求項１〜８のいずれか一項に記載の飲料容器保持具。
【請求項１０】
前記差込部は、複数の突出部によって構成されている
ことを特徴とする請求項１〜９のいずれか一項に記載の飲料容器保持具。
【発明の詳細な説明】
【技術分野】
【０００１】
本発明は、缶等の飲料容器を保持する飲料容器保持具に関する。
【背景技術】
【０００２】
従来より、缶コーヒー等の飲料製品は、季節等に応じて、容器ごと温めたり冷したりして販売することが一般的に行われている。しかしながら、このように加熱又は冷却された飲料製品を直接手に持って飲もうとすると、その温度によっては、飲料容器を把持するのが困難であったり不快であったりする。
【０００３】
このような問題に対して、飲料容器に直接手を触れることなく飲料容器を持つことを可能にする飲料容器保持具（ホルダー）が知られている。例えば、実開昭６０−１２９３３７号公報には、有底円筒体の内周面側に突出状に設けられた、がたつき防止用舌片が、有底円筒体内に嵌挿された飲料容器の外周面に当接して飲料容器の外周面と有底円筒体の内周面との間に断熱空気層を形成しつつ飲料容器を保持する飲料容器保持具が開示されている。
【０００４】
しかしながら、上記公報記載の飲料容器保持具では、飲料容器を嵌挿する際に下方に弾性変形する舌片によって飲料容器を保持しており、その保持力は必ずしも充分とは言えない。更に、通常、飲料容器のサイズは、製造時に若干のばらつきを生じるので、上記公報記載の飲料容器保持具において、嵌挿の邪魔にならず、かつ、飲料容器を確実に保持できる舌片を設けることは実際上難しいと考えられる。
【特許文献１】実開昭６０−１２９３３７号公報
【発明の開示】
【発明が解決しようとする課題】
【０００５】
本発明の目的は、より確実に飲料容器を保持することが可能な飲料容器保持具を提供することにある。
【課題を解決するための手段】
【０００６】
本発明に係る飲料容器保持具は、飲料容器を収容する収容部（例えば、後述する容器収容部）と、前記飲料容器を前記収容部に対して固定する固定部（例えば、後述する外側円筒体）とを備え、前記固定部は、前記収容部に対して上下動可能であり、下降した際に、前記収容部に収容された前記飲料容器と、前記収容部との間の隙間に差し込まれて、前記飲料容器と前記収容部の両方に当接する差込部を備えることを特徴とする。
【０００７】
この場合において、前記収容部は、有底で上面が開口した円筒状の形状を有するようにしてもよい。更に、前記収容部は、上端部分の内周面をテーパー状に形成するようにしてもよい。更に、前記固定部は、上面及び下面が共に開口した円筒状の形状を有し、前記収容部の上部外周面を覆うように配置されるようにしてもよい。
【０００８】
また、以上の場合において、前記固定部は、前記収容部に対して第一の方向に回転させると、前記収容部に対して下降し、前記収容部に対して第二の方向に回転させると、前記収容部に対して上昇するようにしてもよい。更に、前記固定部及び収容部のいずれか一方は、突起を備え、他方は、前記突起の動きを規定する案内部を備えるようにしてもよい。この場合、突起又は案内部を直接、収容部等に形成するようにしてもよいし、突起又は案内部を形成した他の部材（例えば、後述する内側円筒体）を収容部等に固着するようにしてもよい。更に、前記案内部は、前記固定部及び収容部のいずれか一方の側壁に、斜めに伸びるように形成するようにしてもよい。
【０００９】
また、以上の場合において、前記差込部は、前記固定部の上端縁部に内側下向きに伸びるよう形成するようにしてもよい。また、前記差込部は、先端部分をくさび状に形成するようにしてもよいし、複数の突出部によって構成するようにしてもよい。
【発明の効果】
【００１０】
本発明によれば、より確実に飲料容器を保持することが可能な飲料容器保持具を提供することができる。
【発明を実施するための最良の形態】
【００１１】
以下、本発明の実施の形態について、図面を参照しつつ詳細に説明する。
【００１２】
図１は、本発明による飲料容器保持具を示す図である。同図（ａ）は、飲料容器を入れていない状態を示し、同図（ｂ）は、飲料容器（同図の例では缶）を入れた状態を示している。
【００１３】
同図に示すように、本発明による飲料容器保持具１００は、容器収容部１１０と、容器固定部１２０とを備える。容器収容部１１０は、飲料容器１３０に直接手を触れることなく飲料容器１３０を持つことができるように飲料容器１３０を収容するものであり、必要とされる断熱性を備えるよう構成される。容器固定部１２０は、容器収容部１１０に収容された飲料容器１３０を固定するためのものであって、容器収容部１１０の上部に設けられる。容器固定部１２０は、容器収容部１１０の上部に固着される内側円筒体１２１と、内側円筒体１２１の外側に被せられる外側円筒体１２２とによって構成されている。
【００１４】
飲料容器保持具１００においては、利用者が、飲料容器保持具１００の上面に設けられた開口を介して、同図（ｂ）に示すように、保持対象の飲料容器１３０を飲料容器保持具１００内に挿入した後に、外側円筒体１２２を一方方向（例えば、上から見て時計回り）に回転させると、飲料容器１３０が飲料容器保持具１００に対して固定される。なお、固定方法の詳細については後述する。飲料容器１３０が飲料容器保持具１００に対して固定されると、利用者は、容器収容部１１０等を把持して、飲料容器１３０内の飲料を飲むことができるようになる。また、例えば、飲料容器１３０内の飲料をすべて飲み終えた後に、利用者が、固定時とは逆の方向（例えば、上から見て反時計回り）に外側円筒体１２２を回転させると、飲料容器１３０が飲料容器保持具１００から解放されて、飲料容器１３０を飲料容器保持具１００から取り出すことが可能になる。
【００１５】
次に、飲料容器保持具１００を構成する各構成要素について説明する。
【００１６】
図２は、容器収容部１１０の構造を示す図である。同図（ａ）は、容器収容部１１０の斜視図を示し、同図（ｂ）は、容器収容部１１０の断面図を示す。
【００１７】
同図に示すように、容器収容部１１０は、有底で上面が開口した円筒状の形状を有するものであり、底面は、内側に向けて球面状にやや凹んだような形状を有している。容器収容部１１０は、例えば、ＳＵＳ３０４等のオーステナイト系ステンレス鋼によって構成される。
【００１８】
容器収容部１１０は、保持対象の飲料容器の外径よりやや大きい程度の内径を有する。但し、上端部分においては、側壁の厚みが他の部分より薄く形成されており、容器収容部１１０の内径が上端部に向かって少しずつ大きくなるよう、内周面がテーパー状に形成されている。また、容器収容部１１０は、把持しやすく、かつ、飲料容器の飲み口に直接口をつけて飲むときに邪魔にならない程度の高さ、例えば、保持対象の飲料容器の約７割程度を収めることができる高さを有する。
【００１９】
図３は、容器固定部１２０を構成する内側円筒体１２１の構造を示す図である。同図（ａ）は、内側円筒体１２１の斜視図を示し、同図（ｂ）は、内側円筒体１２１の断面図を示し、同図（ｃ）は、内側円筒体１２１の展開図を示す。
【００２０】
同図に示すように、内側円筒体１２１は、上面及び下面が共に開口した円筒状の形状を有するものであり、例えば、ポリプロピレン等の合成樹脂によって構成される。
【００２１】
内側円筒体１２１は、容器収容部１１０の上部外周面を覆うように容器収容部１１０に固着される部材であって、例えば、容器収容部１１０の外径よりやや小さい内径を有するよう形成されて、容器収容部１１０に対して圧入される。なお、内側円筒体１２１の上端内周縁部には、内側に庇状に張り出した突出部３１０が形成されており、容器収容部１１０に対して内側円筒体１２１を圧入する際に、容器収容部１１０の上端部と係合して、それ以上、内側円筒体１２１が押し込まれないようにする。
【００２２】
また、内側円筒体１２１の側壁には、外側円筒体１２２の動きを規定するための案内部が形成されている。同図の例では、案内部として、２つの案内孔３２０が形成されている。
【００２３】
同図（ｃ）に示すように、２つの案内孔３２０はそれぞれ、両端が半円状に丸められた概ね矩形状の貫通孔として、内側円筒体１２１の中心について対称な位置に、長辺が斜め（外側から見たときに左下から右上）に伸びるように形成される。
【００２４】
なお、内側円筒体１２１が容器収容部１１０の上部外周面に固着されると、実質的に、容器収容部１１０の上部外周面に、外側円筒体１２２の動きを規定するための案内部（案内溝）が設けられることになる。
【００２５】
図４は、容器固定部１２０を構成する外側円筒体１２２の構造を示す図である。同図（ａ）は、外側円筒体１２２の斜視図を示し、同図（ｂ）は、外側円筒体１２２の断面図を示す。
【００２６】
同図に示すように、外側円筒体１２２は、上面及び下面が共に開口した円筒状の形状を有するものであり、例えば、ポリプロピレン等の合成樹脂によって構成される。
【００２７】
外側円筒体１２２は、内側円筒体１２１に対して回転可能なように、内側円筒体１２１の外側に被せられる部材であって、内側円筒体１２１の外径よりやや大きい内径を有するものである。
【００２８】
また、外側円筒体１２２は、その上端縁部に、内側下向きに伸びる差込部４１０が形成されている。差込部４１０は、複数の台形状突出部によって構成されており、各突出部の先端部分は、先端に向かって厚さが薄くなるよう、くさび状（Ｖ字状）に形成されている。差込部４１０は、容器収容部１１０に収容された飲料容器と、容器収容部１１０との間の隙間に差し込まれて、飲料容器の動きを規制（固定）するものである。
【００２９】
また、外側円筒体１２２は、側壁の内側に、２つの円板状突起４２０が形成されている。当該突起４２０はそれぞれ、内側円筒体１２１に形成された案内孔３２０に嵌め込まれるものであって、外側円筒体１２２の中心について対称な位置に形成される。
【００３０】
なお、外側円筒体１２２を回転させたときに、外側円筒体１２２に形成された突起４２０が、内側円筒体１２１に形成された案内孔３２０内を案内孔３２０に沿って移動することによって、外側円筒体１２２が内側円筒体１２１に対して上下動することになる。
【００３１】
以上のような各構成要素を組み合わせることによって、飲料容器保持具１００が組み立てられる。すなわち、例えば、内側円筒体１２１と外側円筒体１２２とを組み付けたものを、容器収容部１１０に対して圧入することによって、飲料容器保持具１００が組み立てられる。
【００３２】
次に、上述したような構成を有する飲料容器保持具１００の動作について説明する。
【００３３】
図５及び図６は、飲料容器保持具１００の動作を説明するための図である。図５は、飲料容器保持具１００に対して飲料容器１３０が固定されていない状態を示す図であり、図６は、飲料容器保持具１００に対して飲料容器１３０が固定された状態を示す図である。
【００３４】
図５に示した状態においては、外側円筒体１２２は、内側円筒体１２１に対して（上下方向に）最もずれた位置にある。すなわち、外側円筒体１２２の内周面に形成された突起４２０が、内側円筒体１２１の側壁に形成された案内孔３２０の最も高いところ（外側から見たときの右上端）に位置している。また、容器収容部１１０に収容された飲料容器１３０と、容器収容部１１０の上端部分との間には、下に向かって少しずつ幅が狭くなる隙間が形成されている。当該状態においては、飲料容器１３０は、飲料容器保持具１００に対して固定されておらず、自由に抜き差しすることができる。
【００３５】
図５に示した状態から、外側円筒体１２２を一方方向（上から見て時計回り）に回転させると、外側円筒体１２２の内周面に形成された突起４２０が、内側円筒体１２１の側壁に形成された案内孔３２０内を案内孔３２０に沿って移動していき、それに伴い、外側円筒体１２２が徐々に下降していく。外側円筒体１２２が下降するのに伴い、差込部（台形状突出部の先端部分）４１０が、飲料容器１３０と容器収容部１１０との間の隙間に差し込まれていき、飲料容器１３０及び容器収容部１１０の両方に当接するようになる。そして、図６に示すように、外側円筒体１２２の内周面に形成された突起４２０が、内側円筒体１２１の側壁に形成された案内孔３２０の最も低いところ（外側から見たときの左下端）付近に達するまで、外側円筒体１２２を回転させると、差込部４１０が、飲料容器１３０と容器収容部１１０との間の隙間にしっかりと嵌り込んで、飲料容器１３０が飲料容器保持具１００に対して固定されることになる。なお、飲料容器固定時の突起４２０の位置については、実際は、飲料容器１３０の外径のばらつき等に応じて、若干ばらつくことになる。
【００３６】
一方、図６に示した状態から、固定時とは逆方向（上から見て反時計回り）に外側円筒体１２２を回転させると、外側円筒体１２２の内周面に形成された突起４２０が、内側円筒体１２１の側壁に形成された案内孔３２０内を案内孔３２０に沿って移動していき、それに伴い、外側円筒体１２２が徐々に上昇していく。外側円筒体１２２が上昇するのに伴い、飲料容器１３０と容器収容部１１０との間の隙間に差し込まれていた差込部４１０が、当該隙間から抜け出していく。そして、図５に示すように、外側円筒体１２２の内周面に形成された突起４２０が、内側円筒体１２１の側壁に形成された案内孔３２０の最も高いところ（外側から見たときの右上端）に達するまで、外側円筒体１２２を回転させると、差込部４１０が、飲料容器１３０と容器収容部１１０との間の隙間から完全に抜け出て、飲料容器１３０を飲料容器保持具１００に対して抜き差しすることが可能となる。
【００３７】
以上説明したように、本発明による飲料容器保持具１００においては、外側円筒体１２２の下降に伴い、飲料容器１３０と容器収容部１１０との間の隙間に差し込まれていく差込部４１０が、飲料容器１３０と容器収容部１１０の両方に当接することによって、飲料容器１３０を固定しているので、飲料容器１３０のサイズに若干のばらつきがある場合でも、飲料容器１３０を確実に保持して、飲料時の飲料容器１３０の抜け出し等を防止することが可能となる。
【００３８】
以上、本発明の実施形態について説明したが、当然のことながら、本発明の実施形態は上記のものに限られない。例えば、各部材を構成する材料等については、必要とされる強度、弾性、断熱性、耐熱性、耐食性その他の実装条件に応じて適切なものを選択することができる。また、外側円筒体に形成される突起や内側円筒体に形成される案内部（案内孔）の個数等についても、必要とされる組立体強度（外側円筒体の抜けにくさ）や組立容易性その他の実装条件に応じて適切なものを選択することができる。
【００３９】
また、上述した実施形態においては、案内部を貫通孔として形成しているが、案内部を、内側円筒体の側壁を貫通していない案内溝として、内側円筒体の外周面に設けるようにしてもよい。
【００４０】
また、上述した実施形態においては、外側円筒体の内周面に突起を設け、内側円筒体の側壁に案内部を設けるようにしていたが、逆に、内側円筒体の外周面に突起を設け、外側円筒体の側壁に案内部を設けるようにしてもよい。
【００４１】
また、上述した実施形態においては、内側円筒体と容器収容部とを別体として形成していたが、両者を一体に形成するようにしてもよい。すなわち、案内部（又は突起）を、容器収容部上部の外周面に直接形成するようにしてもよい。
【００４２】
更に、上述した実施形態においては、外側円筒体及び内側円筒体に形成された突起と案内部とによって、外側円筒体の上下動を実現していたが、他の方法によって外側円筒体の上下動を実現することも考えられる。例えば、外側円筒体の内周面及び内側円筒体の外周面それぞれにネジ山を形成し、内側円筒体にねじ込んだ外側円筒体を回転させることで、外側円筒体の上下動を実現することも考えられる。
【図面の簡単な説明】
【００４３】
【図１】本発明による飲料容器保持具を示す図である。
【図２】容器収容部１１０の構造を示す図である。
【図３】容器固定部１２０を構成する内側円筒体１２１の構造を示す図である。
【図４】容器固定部１２０を構成する外側円筒体１２２の構造を示す図である。
【図５】飲料容器保持具１００に対して飲料容器１３０が固定されていない状態を示す図である。
【図６】飲料容器保持具１００に対して飲料容器１３０が固定された状態を示す図である。
【符号の説明】
【００４４】
１００    飲料容器保持具
１１０    容器収容部
１２０    容器固定部
１２１    内側円筒体
１２２    外側円筒体
１３０    飲料容器
３１０    突出部
３２０    案内孔
４１０    差込部
４２０    突起
【図１】
2007284080.tif 000003
【図２】
2007284080.tif 000004
【図３】
2007284080.tif 000005
【図４】
2007284080.tif 000006
【図５】
2007284080.tif 000007
【図６】
2007284080.tif 000008